(57)【要約】【課題】タイマ記録可能な記録装置であって、タイマ記録の予約状況を容易に確認できる記録装置を提供すること。【解決手段】ＤＶＤレコーダ１０は、タイマ記録可能であって、点灯状態及び消灯状態の２状態を取る発光部２０と、タイマ記録の予約件数情報を記憶する件数記憶部１９と、件数記憶部１９に記憶されたタイマ記録の予約件数情報に応じて発光部２０の動作を制御する件数通知動作を行う副制御部２２と、を有することを特徴とする。【選択図】図１
2008165946.tif 000002
【特許請求の範囲】
【請求項１】
タイマ記録可能な記録装置であって、
点灯状態及び消灯状態の２状態を取る発光部と、
記録動作を制御する主制御部と、
前記発光部の動作を制御する副制御部と、
タイマ記録の予約件数情報を記憶する件数記憶部と、
オン状態及びオフ状態の２状態を取る件数通知スイッチと、
を有し、
前記主制御部及び前記副制御部に電源が供給される第１状態と、
前記主制御部には電源が供給されず、前記副制御部には電源が供給される第２状態と、
を取り、
前記副制御部は、前記件数通知スイッチがオン状態とされた際に、前記発光部を、前記件数記憶部に記憶されたタイマ記録の予約件数情報に応じた回数点滅させる件数通知動作を行うことを特徴とする記録装置。
【請求項２】
タイマ記録可能な記録装置であって、
点灯状態及び消灯状態の２状態を取る発光部と、
タイマ記録の予約件数情報を記憶する件数記憶部と、
前記件数記憶部に記憶されたタイマ記録の予約件数情報に応じて前記発光部の動作を制御する件数通知動作を行う制御部と、
を有することを特徴とする記録装置。
【請求項３】
前記件数通知動作は、前記発光部を、前記件数記憶部に記憶されたタイマ記録の予約件数情報に応じた回数点滅させる動作であることを特徴とする請求項２に記載の記録装置。
【請求項４】
前記件数通知動作は、前記発光部を、前記件数記憶部に記憶されたタイマ記録の予約件数情報に応じた時間点灯させる動作であることを特徴とする請求項２に記載の記録装置。
【請求項５】
オン状態及びオフ状態の２状態を取る件数通知スイッチを有し、
前記制御部は、前記件数通知スイッチがオン状態とされた際に、前記件数通知動作を行うことを特徴とする請求項２から４いずれか１項に記載の記録装置。
【請求項６】
前記制御部は、
記録動作を制御する主制御部と、
前記発光部の動作を制御する副制御部と、
によって構成され、
前記主制御部及び前記副制御部に電源が供給される第１状態と、
前記主制御部には電源が供給されず、前記副制御部には電源が供給される第２状態と、
を取り、
前記件数通知動作は、前記副制御部によってなされることを特徴とする請求項２から５いずれか１項に記載の記録装置。
【請求項７】
タイマ記録可能な記録装置の動作を制御するプログラムであって、
前記記録装置が有する件数記憶部に記憶されたタイマ記録の予約件数情報に応じて、前記記録装置が有する発光部の動作を制御する件数通知ステップを有することを特徴とするプログラム。
【発明の詳細な説明】
【技術分野】
【０００１】
本発明は、タイマ記録可能な記録装置に関する。また、本発明は、タイマ記録可能な記録装置の動作を制御するプログラムに関する。
【背景技術】
【０００２】
ＤＶＤレコーダに代表される一般の記録装置は、タイマ記録機能を有している。そして、このタイマ記録に関する各種の発明がなされており、その一例を特許文献１に見ることができる。
【０００３】
特許文献１の発明は、インターネットより得られた、あるいはユーザの入力により得られたＴＶ番組情報を記録したメモリカードが対応する記録機に挿入された際に、該メモリカードにＴＶ番組を自動的に記録するＴＶ番組の記録方法に関するものである。これによると、タイマ記録の際のユーザの操作を簡便化することができる。
【特許文献１】特開２００２−０６４７８２号公報
【発明の開示】
【発明が解決しようとする課題】
【０００４】
ここで、一般的な蛍光表示管を有する記録装置においては、ユーザは、リモコンなどの操作によって、蛍光表示管にその時点でのタイマ記録の予約状況を表示させることができる。また、コストダウンなどを目的とした、一般的な蛍光表示管を有さない記録装置においては、ユーザは、リモコンなどの操作によって、記録装置に接続されたテレビジョン受像機の画面にその時点でのタイマ記録の予約状況を表示させることができる。
【０００５】
しかしながら、一般的な蛍光表示管を有さない記録装置においては、ユーザは、タイマ記録の予約状況を確認するためにテレビジョン受像機の電源の入力やチャンネルの設定などを行う必要があり、利便性に問題があるといえる。
【０００６】
また、一般的な記録装置は、記録動作を制御する主制御部と、発光部の動作を制御する副制御部の２つの制御部を有し、主制御部及び副制御部に電源が供給される第１状態と、主制御部には電源が供給されず、副制御部には電源が供給される第２状態（低消費電力で待機する、いわゆるスタンバイ状態）とを取る。
【０００７】
そして、一般的な記録装置においては、ユーザは、記録装置の蛍光表示管の有無に拘わらず、タイマ記録の予約状況を確認するためには、リモコンなどの操作によって記録装置の状態を第１状態に遷移させる必要があり、利便性に問題があるといえる。
【０００８】
上記の問題点を鑑みて、本発明においては、タイマ記録可能な記録装置であって、タイマ記録の予約状況を容易に確認できる記録装置を提供することを目的とする。また、本発明の他の目的は、そのような記録装置の動作を制御するプログラムを提供することである。
【課題を解決するための手段】
【０００９】
本発明においては、記録装置は、タイマ記録可能な記録装置であって、点灯状態及び消灯状態の２状態を取る発光部と、記録動作を制御する主制御部と、前記発光部の動作を制御する副制御部と、タイマ記録の予約件数情報を記憶する件数記憶部と、オン状態及びオフ状態の２状態を取る件数通知スイッチと、を有し、前記主制御部及び前記副制御部に電源が供給される第１状態と、前記主制御部には電源が供給されず、前記副制御部には電源が供給される第２状態と、を取り、前記副制御部は、前記件数通知スイッチがオン状態とされた際に、前記発光部を、前記件数記憶部に記憶されたタイマ記録の予約件数情報に応じた回数点滅させる件数通知動作を行うことを特徴とする。
【００１０】
本発明においては、記録装置は、タイマ記録可能な記録装置であって、点灯状態及び消灯状態の２状態を取る発光部と、タイマ記録の予約件数情報を記憶する件数記憶部と、前記件数記憶部に記憶されたタイマ記録の予約件数情報に応じて前記発光部の動作を制御する件数通知動作を行う制御部と、を有することを特徴とする。
【００１１】
本発明においては、上記構成の記録装置において、前記件数通知動作は、前記発光部を、前記件数記憶部に記憶されたタイマ記録の予約件数情報に応じた回数点滅させる動作であることが望ましい。
【００１２】
本発明においては、上記構成の記録装置において、前記件数通知動作は、前記発光部を、前記件数記憶部に記憶されたタイマ記録の予約件数情報に応じた時間点灯させる動作であることとしてもよい。
【００１３】
本発明においては、上記構成の記録装置において、オン状態及びオフ状態の２状態を取る件数通知スイッチを有し、前記制御部は、前記件数通知スイッチがオン状態とされた際に、前記件数通知動作を行うことが望ましい。
【００１４】
本発明においては、上記構成の記録装置において、前記制御部は、記録動作を制御する主制御部と、前記発光部の動作を制御する副制御部と、によって構成され、前記主制御部及び前記副制御部に電源が供給される第１状態と、前記主制御部には電源が供給されず、前記副制御部には電源が供給される第２状態と、を取り、前記件数通知動作は、前記副制御部によってなされることが望ましい。
【００１５】
本発明においては、プログラムは、タイマ記録可能な記録装置の動作を制御するプログラムであって、前記記録装置が有する件数記憶部に記憶されたタイマ記録の予約件数情報に応じて、前記記録装置が有する発光部の動作を制御する件数通知ステップを有することを特徴とする。
【発明の効果】
【００１６】
本発明の記録装置においては、制御部は、件数記憶部に記憶されたタイマ記録の予約件数情報に応じて発光部の動作を制御する件数通知動作を行うので、ユーザは、記録装置が蛍光表示管を有さない場合でも、テレビジョン受像機の電源の入力やチャンネルの設定などを行うことなくタイマ記録の予約件数を確認することができ、利便性が向上する。
【００１７】
また、本発明の記録装置においては、制御部は、記録動作を制御する主制御部と、発光部の動作を制御する副制御部と、によって構成され、記録装置は、主制御部及び副制御部に電源が供給される第１状態と、主制御部には電源が供給されず、副制御部には電源が供給される第２状態（低消費電力で待機する、いわゆるスタンバイ状態）と、を取り、件数通知動作は、副制御部によってなされる。そのため、記録装置の状態が第２状態であっても件数通知動作を行うことができることとなり、ユーザは、リモコンなどの操作によって記録装置の状態を第１状態に遷移させることなくタイマ記録の予約件数を確認することができ、利便性が向上する。
【発明を実施するための最良の形態】
【００１８】
本発明の実施形態について、図面を用いて説明すれば以下の通りである。
【００１９】
図１は、本発明の実施形態に係るＤＶＤレコーダ１０（記録装置）の概略の構成を示すブロック図である。ＤＶＤレコーダ１０は、チューナ１１と、ＭＰＥＧエンコーダ１２と、ＤＶＤドライブ１３と、ＭＰＥＧデコーダ１４と、表示制御部１５と、受光部１６と、予約記憶部１７と、件数通知スイッチ１８と、件数記憶部１９と、発光部２０と、主制御部２１と、副制御部２２とを有している。そして、チューナ１１にはアンテナ３０が接続され、ＤＶＤドライブ１３にはＤＶＤ４０が載置され、表示制御部１５にはテレビジョン受像機５０が接続されている。
【００２０】
ＤＶＤレコーダ１０が放送情報をＤＶＤ４０に記録する際の概略の処理の流れは以下の通りである。まず、アンテナ３０が放送信号を受信し、これをチューナ１１へ伝達する。チューナ１１は、アンテナ３０から伝達された放送信号から所望のチャンネルの放送信号を抽出し、これをＭＰＥＧエンコーダ１２へ伝達する。ＭＰＥＧエンコーダ１２は、チューナ１１から伝達された放送信号に対するエンコード（圧縮）を行い、得られた記録信号をＤＶＤドライブ１３へ伝達する。ＤＶＤドライブ１３は、ＭＰＥＧエンコーダ１２から伝達された記録信号をＤＶＤ４０に記録する。
【００２１】
また、ＤＶＤレコーダ１０がＤＶＤ４０に記録された情報を再生する際の概略の処理の流れは以下の通りである。まず、ＤＶＤドライブ１３がＤＶＤ４０の記録信号を読み出し、これをＭＰＥＧデコーダ１４へ伝達する。ＭＰＥＧデコーダ１４は、ＤＶＤドライブ１３から伝達された記録信号に対するデコード（伸長）を行い、得られた再生信号を表示制御部１５へ伝達する。表示制御部１５は、ＭＰＥＧデコーダ１４から伝達された再生信号に基づく情報をテレビジョン受像機５０に表示させる。
【００２２】
受光部１６は、不図示のリモコンから送信された赤外光を受光し、これを電気信号に変換して主制御部２１又は副制御部２２へ伝達する。予約記憶部１７は、ユーザが不図示のリモコンを用いて入力したタイマ記録の予約内容情報（記録チャンネル情報、記録開始日時情報、記録終了日時情報、記録画質情報など）を記憶するメモリであり、書き込み、消去などは主制御部２１によってなされる。
【００２３】
件数通知スイッチ１８は、オン状態及びオフ状態の２状態を取るスイッチであり、ユーザなどによってオン状態とされると、オン状態とされたことを示す信号を副制御部２２へ伝達する。件数記憶部１９は、タイマ記録の予約件数情報を記憶するメモリであり、書き込み、消去などは副制御部２２によってなされる。発光部２０は、点灯状態及び消灯状態の２状態を取るＬＥＤである。
【００２４】
主制御部２１は、チューナ１１と、ＭＰＥＧエンコーダ１２と、ＤＶＤドライブ１３と、ＭＰＥＧデコーダ１４と、表示制御部１５と、受光部１６と、予約記憶部１７とに接続され、これらに対して制御指示信号を伝達することで、各種動作を実行させている。副制御部２２は、受光部１６と、件数通知スイッチ１８と、件数記憶部１９と、発光部２０とに接続され、これらに対して制御指示信号を伝達することで、各種動作を実行させている。また、主制御部２１と、副制御部２２とは接続されており、互いに通信可能である。
【００２５】
ここで、ＤＶＤレコーダ１０は、主制御部２１及び副制御部２２に電源が供給される第１状態と、主制御部２１には電源が供給されず、副制御部２２には電源が供給される第２状態（低消費電力で待機する、いわゆるスタンバイ状態）とを取るものとする。
【００２６】
そして、ＤＶＤレコーダ１０が第１状態を取っている際には、主制御部２１は、定期的に予約記憶部１７の記憶情報を参照することによって、タイマ記録の予約件数情報を取得し、これを副制御部２２へ伝達する。そして、副制御部２２は、主制御部２１よりタイマ記録の予約件数情報を受信すると、これを件数記憶部１９に記憶させる。
【００２７】
また、ＤＶＤレコーダ１０の状態が第１状態であるか第２状態であるかに拘わらず、件数通知スイッチ１８は、オン状態とされると、オン状態とされたことを示す信号を副制御部２２へ伝達する。そして、副制御部２２は、件数通知スイッチ１８がオン状態とされたことを示す信号を受信すると、件数記憶部１９に記憶されているタイマ記録の予約件数情報を取得し、該予約件数情報に応じて発光部２０の動作を制御する件数通知動作を行う。
【００２８】
以下で、副制御部２２が行う件数通知動作の一例について説明する。図２は、副制御部２２が行う件数通知動作の一例を示す説明図である。ここで、図２（ａ）には、タイマ記録の予約件数が２件であることを示す情報が件数記憶部１９に記憶されており、時間ｔ１において件数通知スイッチ１８がオン状態とされた場合の、副制御部２２が行う件数通知動作が示されている。また、図２（ｂ）には、タイマ記録の予約件数が３件であることを示す情報が件数記憶部１９に記憶されており、時間ｔ１において件数通知スイッチ１８がオン状態とされた場合の、副制御部２２が行う件数通知動作が示されている。また、図２のグラフの横軸（ｔ軸）は時間軸であり、縦軸（Ｓ軸）は発光部２０の点灯あるいは消灯を示す軸である。
【００２９】
以下で、図２（ａ）に示される、副制御部２２が行う件数通知動作の詳細について説明する。副制御部２２は、時間ｔ１において、件数通知スイッチ１８がオン状態とされたことを示す信号を受信すると、件数記憶部１９に記憶されている、タイマ記録の予約件数が２件であることを示す情報を取得し、発光部２０を、時間ｔ１から時間ｔ１＋ａまで点灯させ、時間ｔ１＋ａから時間ｔ１＋ａ＋ｂまで消灯させ、時間ｔ１＋ａ＋ｂから時間ｔ１＋２ａ＋ｂまで点灯させ、その後は消灯させることによって、２回点滅させる。
【００３０】
また、以下で、図２（ｂ）に示される、副制御部２２が行う件数通知動作の詳細について説明する。副制御部２２は、時間ｔ１において、件数通知スイッチ１８がオン状態とされたことを示す信号を受信すると、件数記憶部１９に記憶されている、タイマ記録の予約件数が３件であることを示す情報を取得し、発光部２０を、時間ｔ１から時間ｔ１＋ａまで点灯させ、時間ｔ１＋ａから時間ｔ１＋ａ＋ｂまで消灯させ、時間ｔ１＋ａ＋ｂから時間ｔ１＋２ａ＋ｂまで点灯させ、時間ｔ１＋２ａ＋ｂから時間ｔ１＋２ａ＋２ｂまで消灯させ、時間ｔ１＋２ａ＋２ｂから時間ｔ１＋３ａ＋２ｂまで点灯させ、その後は消灯させることによって、３回点滅させる。
【００３１】
つまり、図２に示される、副制御部２２が行う件数通知動作は、発光部２０を、件数記憶部１９に記憶されたタイマ記録の予約件数情報に応じた回数点滅させる動作である。副制御部２２がこのような件数通知動作を行うことによって、ユーザは、ＤＶＤレコーダ１０が蛍光表示管を有さない場合でも、テレビジョン受像機５０の電源の入力やチャンネルの設定などを行うことなくタイマ記録の予約件数を確認することができ、利便性が向上する。
【００３２】
また、ＤＶＤレコーダ１０の状態が第２状態であっても、副制御部２２は、図２に示される件数通知動作を行うことができるので、ユーザは、不図示のリモコンなどの操作によってＤＶＤレコーダ１０の状態を第１状態に遷移させることなくタイマ記録の予約件数を確認することができ、利便性が向上する。
【００３３】
なお、図２に示される、副制御部２２が行う件数通知動作は、発光部２０を、件数記憶部１９に記憶されたタイマ記録の予約件数情報に応じた回数点滅させる動作であった。しかしながら、副制御部２２は、タイマ記録の予約件数がある閾値以上である場合には、発光部２０を、該閾値回数点滅させる場合に相当する時間だけ点灯させ、その後は消灯させることとしてもよい。つまり、例えば、タイマ記録の予約件数の閾値を５件としたとき、タイマ記録の予約件数が５件以上である場合には、副制御部２２は、時間ｔ１において、件数通知スイッチ１８がオン状態とされたことを示す信号を受信すると、発光部２０を、時間ｔ１から時間ｔ１＋５ａ＋４ｂまで点灯させ、その後は消灯させることとしてもよい。
【００３４】
このような構成とすると、ユーザにタイマ記録の予約件数が十分多いという事実が伝われば十分であり、正確なタイマ記録の予約件数が伝わる必要がないと思われる、タイマ記録の予約件数が閾値以上である場合において、発光部２０を、件数記憶部１９に記憶されたタイマ記録の予約件数情報に応じた回数点滅させる場合に比べて、消費電力を抑えることができる。
【００３５】
次に、副制御部２２が行う件数通知動作の他の例について説明する。図３は、副制御部２２が行う件数通知動作の他の例を示す説明図である。ここで、図３（ａ）には、タイマ記録の予約件数が２件であることを示す情報が件数記憶部１９に記憶されており、時間ｔ１において件数通知スイッチ１８がオン状態とされた場合の、副制御部２２が行う件数通知動作が示されている。また、図３（ｂ）には、タイマ記録の予約件数が３件であることを示す情報が件数記憶部１９に記憶されており、時間ｔ１において件数通知スイッチ１８がオン状態とされた場合の、副制御部２２が行う件数通知動作が示されている。また、図３のグラフの横軸（ｔ軸）は時間軸であり、縦軸（Ｓ軸）は発光部２０の点灯あるいは消灯を示す軸である。
【００３６】
以下で、図３（ａ）に示される、副制御部２２が行う件数通知動作の詳細について説明する。副制御部２２は、時間ｔ１において、件数通知スイッチ１８がオン状態とされたことを示す信号を受信すると、件数記憶部１９に記憶されている、タイマ記録の予約件数が２件であることを示す情報を取得し、発光部２０を時間ｔ１から時間ｔ１＋２ａまで点灯させ、その後は消灯させる。
【００３７】
また、以下で、図３（ｂ）に示される、副制御部２２が行う件数通知動作の詳細について説明する。副制御部２２は、時間ｔ１において、件数通知スイッチ１８がオン状態とされたことを示す信号を受信すると、件数記憶部１９に記憶されている、タイマ記録の予約件数が３件であることを示す情報を取得し、発光部２０を時間ｔ１から時間ｔ１＋３ａまで点灯させ、その後は消灯させる。
【００３８】
つまり、図３に示される、副制御部２２が行う件数通知動作は、発光部２０を、件数記憶部１９に記憶されたタイマ記録の予約件数情報に応じた時間点灯させる動作である。副制御部２２がこのような件数通知動作を行うことによって、ユーザは、ＤＶＤレコーダ１０が蛍光表示管を有さない場合でも、テレビジョン受像機５０の電源の入力やチャンネルの設定などを行うことなくタイマ記録の予約件数を確認することができ、利便性が向上する。
【００３９】
また、ＤＶＤレコーダ１０の状態が第２状態であっても、副制御部２２は、図３に示される件数通知動作を行うことができるので、ユーザは、不図示のリモコンなどの操作によってＤＶＤレコーダ１０の状態を第１状態に遷移させることなくタイマ記録の予約件数を確認することができ、利便性が向上する。
【００４０】
なお、図３に示される、副制御部２２が行う件数通知動作は、発光部２０を、件数記憶部１９に記憶されたタイマ記録の予約件数情報に応じた時間点灯させる動作であった。しかしながら、副制御部２２は、タイマ記録の予約件数がある閾値以上である場合には、発光部２０を、該閾値に応じた時間だけ点灯させ、その後は消灯させることとしてもよい。つまり、例えば、タイマ記録の予約件数の閾値を５件としたとき、タイマ記録の予約件数が５件以上である場合には、副制御部２２は、時間ｔ１において、件数通知スイッチ１８がオン状態とされたことを示す信号を受信すると、発光部２０を、時間ｔ１から時間ｔ１＋５ａまで点灯させ、その後は消灯させることとしてもよい。
【００４１】
このような構成とすると、ユーザにタイマ記録の予約件数が十分多いという事実が伝われば十分であり、正確なタイマ記録の予約件数が伝わる必要がないと思われる、タイマ記録の予約件数が閾値以上である場合において、発光部２０を、件数記憶部１９に記憶されたタイマ記録の予約件数情報に応じた時間点灯させる場合に比べて、消費電力を抑えることができる。
【００４２】
なお、本発明は上記の実施形態に限定されず、本発明の主旨を逸脱しない範囲で種々の変更が可能である。例えば、上記実施形態においては、副制御部２２は、件数通知スイッチ１８がオン状態とされた際に件数通知動作を行うものとした。しかしながら、副制御部２２は、ＤＶＤレコーダ１０が第２状態である際には、所定の時間間隔で、件数通知動作を繰り返し行う構成としても良い。この場合には、ＤＶＤレコーダ１０は件数通知スイッチ１８を備える必要がない。
【００４３】
また、副制御部２２は、ＤＶＤレコーダ１０の状態が第２状態に遷移した際に、件数通知動作を所定の回数、所定の時間間隔で行う構成としても良い。また、副制御部２２は、ＤＶＤレコーダ１０が第１状態であるか第２状態であるかに拘わらず、所定の時間間隔で、件数通知動作を繰り返し行う構成としても良い。これらの場合にも、ＤＶＤレコーダ１０は件数通知スイッチ１８を備える必要がない。
【００４４】
また、上記実施形態においては、件数通知スイッチ１８はＤＶＤレコーダ１０本体に設けられるものとしたが、不図示のリモコンに備えられるものとしてもよい。
【産業上の利用可能性】
【００４５】
本発明は、タイマ記録可能な記録装置として有効である。また、本発明は、タイマ記録可能な記録装置の動作を制御するプログラムとして有効である。
【図面の簡単な説明】
【００４６】
【図１】ＤＶＤレコーダ１０の概略の構成を示すブロック図。
【図２】副制御部２２が行う件数通知動作の一例を示す説明図。
【図３】副制御部２２が行う件数通知動作の他の例を示す説明図。
【符号の説明】
【００４７】
１０    ＤＶＤレコーダ（記録装置）
１８    件数通知スイッチ
１９    件数記憶部
２０    発光部
２１    主制御部
２２    副制御部
【図１】
2008165946.tif 000003
【図２】
2008165946.tif 000004
【図３】
2008165946.tif 000005